(57)【要約】【課題】電気の機能で空気を濾過して、その空気を暑い時等に冷えて、寒い時等は、清浄な空気の温度を上げて、好ましい温度、質の空気にして呼吸気管等に送る電気マスク。【解決手段】ハウジング（５）の空気吸入口（Ａ）に空気エレメント（１）を設置して、室（Ｄ）に羽根車（３）にモーター（２）を連結してニクロム線（４）を設ける。吸い込み出口（Ｂ）に面（９）を継合する。面（９）に排気口（Ｆ）を設け弁、フィルターを備え皮膚面（Ｃ）に被せて定着する。【選択図】  図１
2006034322.tif 000002
【特許請求の範囲】
【請求項１】
ハウジング（５）の室（Ｄ）に空気エレメント（１）を備えて羽根車（３）の回転により空気を濾過して清浄な空気を呼吸気管等に送る電気マスク。
【請求項２】
ハウジング（５）の室（Ｄ）にニクロム線（４）を設けて寒い時等に清浄な空気の温度を上げて呼吸気管等に送る電気マスク。
【発明の詳細な説明】
【技術分野】
【０００１】
本発明は、酷い大気汚染所場等であって電気の機能で濾過して、清浄な空気の温度を上げ下げして、良質な空気を適温にして呼吸気管等に送る電気マスクに関する。
【背景技術】
【０００２】
衛生マスク等において、人間の呼吸する力で空気フィルターから空気を吸うて濾過しているので高血圧症になることが多い。そして、呼吸する空気の温度を上げ下げする機能がはい。また、公害が多い場所において話す事も出来ない。そして、空気清浄機、室内空調設備、冷暖房装置等にあって喫煙者が多い職場等での衛生マスク等は通用しない、特に冷房装置で呼吸気管等で痛める人が多い。そして、酸素マスクは、酸素ボンベから酸素を得て容易に呼吸が出来るようにしているが酸素費用に多く要する。コンプレッサーを使い空気を圧縮して送りて水中等で作業するマスクがあるがヒーターが装備されていない。
【０００３】
この改善策は、ハウジング（５）の室（Ｄ）の吸入口（Ａ）に空気エレメント（１）を
設置する．モーター（２）に羽根車（３）を連結し、モーター（２）の接続接点（１１）
に配線（１４）を介してスイッチ（８）に繋ぐ。そうして、絶縁体（１５）にニクロム線
（４）を巻き付け、サーモスタット（６）にダイヤル（７）を設けて、モーター（２）の
接続接点（１１）に配線（１４）を介してサーモスタット（６）にニクロム線（４）を繋ぐ。そうして、ハウジング（５）の空気出口（Ｂ）に熱に耐久性の有るサクションホース
（１６）の一方を継合して片方に面（９）を継合する。面（９）部に羽根車（３）から出る余り空気と人間が吐く息が出る排気口（Ｆ）を設置する。排気口（Ｆ）にゴム弁、フィルター弁等を備え、面（９）を顔の皮膚面（Ｃ）に被せバンド（１３）で定着する。
【発明の開示】
【発明が解決しようとする課題】
【０００４】
解決しようとする問題点は、厚い空気フィルターのマスクにあって呼吸が困難を要し血圧が上がることが多い。薄い空気フィルターのマスクにあって粒子の小さい埃、タバコの煙、花粉等が漏れる恐れがあった。また、マスクが顔面に合わないと話すことともに口を動くとタバコの煙、花粉、粒子の小さい埃等がマスクの隙間から入るおそれあった。そして、人間の呼吸の水分でマスク、フィルターが濡れて酸欠になり、息苦しくなり、睡眠ができない、長時間使用できない、暑い時に使うと暑苦しい。そして、空気清浄機、空調設備、冷暖房機等にマスクが装備されていないため酷い公害、煙草の煙等にあって空気を清浄化されない前に吸う恐れがあった。また、室内等において、酷い公害、煙草の煙等での衛生マスク等にあまり効果がない。そして、酸素マスクは、酸素ボンベから酸素を得るので酸素費用を多く要し健康な人は使えない。水中等で作業するマスクは、コンプレッサーで圧縮して送るマスクにおいて機構が異なり、呼吸する空気の温度を上げる機能がない。
【課題を解決するための手段】
【０００５】
スイッチ（８）をＯＦＦからＯＮにするとモーター（２）が回転して、空気エレメント
（１）から羽根車（３）で濾過して清浄な空気を吸い面（９）から呼吸気管等に送り冷える。寒い時等は、ダイヤル（７）を右に回すとサーモスタット（６）の接点が接触してニクロム線（４）に電源が入り、濾過した清浄な空気を熱して適温にして面（９）から呼吸気管等に送る。羽根車（３）から出る余り空気と人間が吐く息を排気口（Ｆ）から出る。
【発明の効果】
【０００６】
本発明は、工場等から出る大気汚染、自動車等の排気ガス、タバコ等の煙等を濾過して  清浄化して良質な空気を多くして、個人個人が好ましい空気の温度、質にして呼吸気管等に送ると、呼吸気管等の汚れを防いで、血液の浄化を図り、血圧が安定する効果がある。そうすると、冷え性、高血圧症、風邪等の病気を防いで、健康に貢献して、健康を促進する。また、空気が少ない高所、高山、汚染された野外で電池、蓄電池、発電機等を装備すると移動できる。そして、暑い時等に羽根車（３）の清浄な風で息する空気を冷やし、寒い時等にニクロム線（４）で息する清浄な空気の温度を上げると血液の流れを良くして冷暖房の役目をして、健康を保存して、酸素費用を安く、健康を維持する効果を得る。農業用マスク、防塵用マスク、遮光眼鏡を使用して溶接マスク、衛生マスク等に使用できて医療器、令暖房機になる効果ある。そして、いつも使用して腹の底から暖まり、気分爽快に仕事、運動、趣味等をして容易に生命を長くする効果が有る。
【発明を実施するための最良の形態】
【０００７】
ハウジング（５）を筒形にして室（Ｄ）の底方の空気吸入口（Ａ）に蛇腹状を丸めドーナツ形の空気エレメント（１）を備えて、羽根車（３）にモーター（２）を連結してモーター支持具（１８）でハウジング（５）に接着する。空気出口（Ｂ）方の室（Ｄ）に十字に組んだ絶縁体（１５）にニクロム線（４）を巻きサーモスタット（６）に連結する。空気出口（Ｂ）に熱に耐久性があるサクションホース（１６）の一方を継合して反対方に面（９）を継合する。面（９）の下方に排気口（Ｆ）を設けフィルター弁を備え、面（９）の両脇にバンド（１３）を設備して、顔の皮膚面（Ｃ）に面（９）を被せ耳の上下にバンド（１３）で巻き定着する。そして、ハウジング（５）の外側に腹当て（１２）を設置して腹にバンド（１３）で巻き付ける。移動できて軽量で小型に実現した電気マスク。
【実施例１】
【０００８】
図１は、本発明装置の１実施例は、筒形のハウジング（５）を切断斜視図であって、室（Ｄ）の底方に空気吸入口（Ａ）に蛇腹状を丸めドーナツ形の空気エレメント（１）を水平に備え、水平に回転する羽根車（３）にモーター（２）を連結して四枚のモーター支持具（１８）でハウジング（５）に接着する。空気出口（Ｂ）方の室（Ｄ）に十字に組んだ絶縁体（１５）にニクロム線（４）を巻き付け、ダイヤル（７）を設けたサーモスタット（６）にニクロム線（４）を連結する。そして、空気出口（Ｂ）に熱に耐久性の有るサクションホース（１６）の一方を継合して反対方に面（９）を継合する。その面（９）の下方に弁を持った排気口（Ｆ）を備える。面（９）の両脇にバンド（１３）を取付けて、面（９）を顔の皮膚面（Ｃ）に被せバンド（１３）で定着する。ハウジング（５）の外側に腹当て（１２）を接着してバンド（１３）で体に付ける。そして、スイッチ（８）に配線（１４）を介してモーター（２）の接続接点（１１）に繋ぎ、モーター（２）の接続接点（１１）に配線（１４）を介してサーモスタット（６）にニクロム線（４）を繋ぐ。
【実施例２】
【０００９】
図２は、本発明装置の２実施例のハウジング（５）、モーター支持具（１８）、空気エレメント（１）を切断斜視図であって、ハウジング（５）を箱形にして、椀状の枚数の多い羽根を持つ羽根車（３）が縦回転するモーター（２）を連結する。空気穴（Ｅ）を持つ
モーター支持具（１８）板にモーター（２）を取り付けハウジング（５）に接着する。蛇腹状にした空気エレメント（１）板を吸入口（Ａ）に縦て設置する。ハウジング（５）の吸入口（Ａ）に空気穴（Ｅ）を設ける。そして、空気出口（Ｂ）の内に十字に組んだ絶縁体（１５）にニクロム線（４）を巻き付け、ダイヤル（７）を持つサーモスタット（６）にニクロム線（４）を連結する。そして、空気出口（Ｂ）に熱に耐久性があるサクションホース（１６）の一方を継合して反対方に面（９）を継合する。面（９）の下方に排気口（Ｆ）を設けて弁を備える。面（９）の両脇にバンド（１３）を取り付け、面（９）を顔の皮膚面（Ｃ）に被せてバンド（１３）で定着する。そして、モーター（２）の接続接点
（１１）に配線（１４）を介してスイッチ（８）を繋ぎ、モーター（２）の接続接点（１１）に配線（１４）を介してニクロム線（４）にサーモスタット（６）を繋ぐ。
【図面の簡単な説明】
【００１０】
【図１】電気マスクの実施方法を示した説明図である。（実施例１）
【図２】電気マスクの実施方法を示した説明図である。（実施例２）
【図３】図１、図２の電気回路図である。
【符号の説明】
【００１１】
１  エレメント
２  モーター
３  羽根車
４  ニクロム線
５  ハウジング
６  サーモスタット
７  ダイヤル
８  スイッチ    
９  面
１０  ゴム
１１  接続接点
１２  腹当て
１３  バンド
１４  配線
１５  絶縁体
１６  ホース
１７  スクリーン
１８  モーター支持具
１９  案内カバー
Ａ  吸入口
Ｂ  出口
Ｃ  皮膚面
Ｄ  室
Ｅ  空気穴
Ｆ  排気口
【図１】
2006034322.tif 000003
【図２】
2006034322.tif 000004
【図３】
2006034322.tif 000005